(57)【要約】【課題】単数のテレビジョン受像機に対して複数のユーザが同時間帯に番組放送時間が重なる複数の番組の視聴を希望するいわゆるチャンネル争いの問題を、各ユーザに不愉快感を与えずに解決できる受信装置及び遠隔操作装置を提供する。【解決手段】複数のユーザ間にチャンネル争いが生じた場合、各ユーザが視聴を希望するチャンネルの選択を受付け、乱数生成手段が生成した乱数に基づいて抽選処理を行い、該抽選処理の結果に基づいて１つのチャンネルを決定する。【選択図】図３
2008028571.tif 000002
【特許請求の範囲】
【請求項１】
複数のチャンネルのうちいずれかのチャンネルを選局する選局手段と、前記選局手段が選局するチャンネルの選択に係る操作信号を受付ける受付手段とを備える受信装置において、
前記受付手段が複数の操作信号を受付けた場合、乱数を生成する乱数生成手段と、
該乱数生成手段により生成された乱数に基づき、１つのチャンネルを決定するチャンネル決定手段とを備え、
前記選局手段が、前記チャンネル決定手段により決定された決定チャンネルを選局するようにしてあることを特徴とする受信装置。
【請求項２】
テレビジョン信号の複数のチャンネルのうちのいずれかのチャンネルを選局する選局手段と、前記選局手段が選局するチャンネルの選択に係る操作信号を受付ける受付手段と、前記操作信号に応じて文字を表示する表示手段と、選択された選択チャンネルを記憶する選択チャンネル記憶手段とを備える受信装置において、
前記受付手段が複数の操作信号を受付けた場合、乱数を生成する乱数生成手段と、
該乱数生成手段により生成された乱数に基づいて抽選処理を行う抽選処理手段と、
該抽選処理手段による抽選処理結果に基づいて選局すべきチャンネルを決定するチャンネル決定手段とを備え、
前記選局手段は、前記チャンネル決定手段により決定された決定チャンネルを選局するように構成してあることを特徴とする受信装置。
【請求項３】
複数の操作信号を受付ける画像を前記表示手段に表示するための指示を受付ける指示受付手段を備えることを特徴とする請求項２に記載の受信装置。
【請求項４】
前記選択チャンネルの各選択者に係るデータを受付ける選択者受付手段と、
該選択者受付手段が受付けた複数のデータを記憶する選択者記憶手段と、
抽選処理別に、全選択者及び決定チャンネルの選択者に係るデータを関連付けた決定履歴を記憶する決定履歴記憶手段と、
該決定履歴記憶手段に記憶されている決定履歴に基づき、チャンネル決定手段の決定結果を各選択者に均等とするための選択者毎の当選確率を算出する確率算出手段とを備え、
前記抽選処理手段は、前記当選確率に基づいて抽選処理を行うように構成してあることを特徴とする請求項２又は請求項３に記載の受信装置。
【請求項５】
前記受付手段の操作を案内する文字データを予め記憶している文字データ記憶手段と、
所定の操作が行われた場合、前記文字データ記憶手段が記憶している文字データに基づいて文章を前記表示手段に出力する文章出力指示手段と
を備えることを特徴とする請求項２乃至請求項４のいずれか一つに記載の受信装置。
【請求項６】
前記選局手段が選局したチャンネルの音声データに基づいて音声を出力する音声出力手段と、
前記受付手段の操作を案内する音声データを予め記憶している音声データ記憶手段と、
所定の操作が行われた場合、前記音声データ記憶手段が記憶している音声データに基づいて音声を前記音声出力手段に出力する音声出力指示手段と
を備えることを特徴とする請求項２乃至請求項５のいずれか一つに記載の受信装置。
【請求項７】
番組の画像データ及び音声データに基づく画像及び音声を記録する番組記録手段と、
前記チャンネル決定手段の決定結果に基づき、前記番組記録手段が記録すべき番組のチャンネルを決定する記録チャンネル決定手段と、
該記録チャンネル決定手段の決定に基づき、前記番組記録手段が記録すべき番組のチャンネルを選局する記録チャンネル選局手段と
を備えることを特徴とする請求項２乃至請求項６のいずれか一つに記載の受信装置。
【請求項８】
テレビジョン信号の複数のチャンネルのうちいずれかのチャンネルを選局する選局手段と、前記選局手段が選局するチャンネルの選択に係る操作信号を受付ける受付手段と、前記テレビジョン信号から複数の番組タイトル、番組開始時刻、番組終了時刻等の番組データを抽出する番組データ抽出手段とを備える受信装置において、
前記受付手段が、放送時間帯の一部が重なる複数の番組のチャンネルの選択に係る操作信号を受付けた場合、乱数を生成する乱数生成手段と、
該乱数生成手段により生成された乱数に基づき、１つの番組を決定する番組決定手段とを備え、
前記選局手段が、前記番組決定手段により決定された決定番組のチャンネルを選局するようにしてあることを特徴とする受信装置。
【請求項９】
番組の画像データに基づく画像を表示する表示手段と、
前記番組データ抽出手段により抽出された前記番組データを記憶する番組データ記憶手段と、
該番組データ記憶手段に記憶された前記番組データに基づき、複数の番組の選択に係る操作信号を受付ける番組受付画像を前記表示手段に表示するための指示を受付ける指示受付手段とを備えることを特徴とする請求項８に記載の受信装置。
【請求項１０】
前記番組データ記憶手段に記憶された番組データに基づき、前記番組受付画像から選択された選択番組のタイトル、番組開始時刻、番組終了時刻の選択番組データを記憶する選択番組データ記憶手段と、
前記番組決定手段の決定結果及び前記選択番組データ記憶手段が記憶している選択番組データに基づき、各選択番組の出力順序を決定する出力順序決定手段と、
計時する計時手段と、
前記選択番組データ記憶手段が記憶している選択番組データ、前記出力順序決定手段の決定結果、前記番組決定手段の決定結果及び前記計時手段の計時結果に基づき、前記選局手段に、番組のチャンネルの切替を指示するチャンネル切替指示手段と
を備えることを特徴とする請求項８又は請求項９に記載の受信装置。
【請求項１１】
前記選択番組の各選択者に係るデータを受付ける選択者受付手段と、
該選択者受付手段が受付けた複数のデータを記憶する選択者記憶手段と、
番組の決定毎に、全選択者及び決定番組の選択者に係るデータを関連付けた決定履歴を記憶する決定履歴記憶手段と、
該決定履歴記憶手段に記憶されている決定履歴に基づき、番組決定手段の決定結果を各選択者に均等とするための選択者毎の当選確率を算出する確率算出手段とを備え、
前記番組決定手段は、前記当選確率に基づいて番組の決定を行うように構成してあることを特徴とする請求項８乃至請求項１０に記載の受信装置。
【請求項１２】
前記受付手段の操作を案内する文字データを予め記憶している文字データ記憶手段と、
所定の操作が行われた場合、前記文字データ記憶手段が記憶している文字データに基づいて文章を前記表示手段に出力する文章出力指示手段と
を備えることを特徴とする請求項８乃至請求項１１のいずれか一つに記載の受信装置。
【請求項１３】
番組の音声データに基づいて音声を出力する音声出力手段と、
前記受付手段の操作を案内する音声データを予め記憶している音声データ記憶手段と、
所定の操作が行われた場合、前記音声データ記憶手段が記憶している音声データに基づいて音声を前記音声出力手段に出力する音声出力指示手段と
を備えることを特徴とする請求項８乃至請求項１２のいずれか一つに記載の受信装置。
【請求項１４】
番組の画像データ及び音声データに基づく画像及び音声を記録する番組記録手段と、
前記番組決定手段の決定結果に基づき、前記番組記録手段が記録すべき番組を決定する記録番組決定手段と、
該記録番組決定手段の決定に基づき、前記番組記録手段が記録すべき番組のチャンネルを選局する記録番組選局手段と
を備えることを特徴とする請求項８乃至請求項１３のいずれか一つに記載の受信装置。
【請求項１５】
前記選局手段が選局したチャンネルの画像データ及び音声データに基づく画像及び音声を記録する記録手段と、
前記記録の開始及び終了の時刻の指定に係る信号を受付ける予約受付手段と、
該予約受付手段が受付けた信号に基づき、前記記録手段に記録開始及び記録終了を指示する記録制御手段と
を備えることを特徴とする請求項１乃至請求項１４のいずれか一つに記載の受信装置。
【請求項１６】
テレビジョン信号を受信する外部装置を遠隔操作し、該外部装置へ送信すべきチャンネルの選択に係る操作信号を受付ける受付手段と、選択された選択チャンネルを記憶する選択チャンネル記憶手段と、前記操作信号を送信する送信手段とを備える遠隔操作装置において、
前記受付手段が複数の操作信号を受付けた場合、乱数を生成する乱数生成手段と、
該乱数生成手段により生成された乱数に基づいて１つのチャンネルを決定するチャンネル決定手段と、
該チャンネル決定手段により決定された決定チャンネルの信号を前記外部装置に送信するように構成してあることを特徴とする遠隔操作装置。
【請求項１７】
前記操作信号に応じて文字を表示する表示部と、
前記チャンネル決定手段により決定されたチャンネルを前記表示部へ表示する決定結果表示指示手段とを備えることを特徴とする遠隔操作装置。
【発明の詳細な説明】
【技術分野】
【０００１】
本発明は、画像データ及び音声データを含むテレビジョン信号を受信する受信装置及び受信装置を遠隔操作する遠隔操作装置に関する。
【背景技術】
【０００２】
現在、日本は、２００３年に地上ディジタル放送が開始されてから、アナログ放送がディジタル放送に切り替わって来ている。これに従い、視聴者における視聴可能なチャンネルの数は益々増えつつある。
【０００３】
このような多チャンネル化に伴い、視聴者であるテレビジョン受像機のユーザ側には、選択する番組のチャンネルの取捨選択を行う必要性が増大している。この必要性に応じて、ユーザが快適且つ容易に番組選択を行うことが出来るように、様々な機能が加わったテレビジョン受像機及び遠隔操作装置が提案されている。例えば、一度のキーの操作でテレビジョン受像機を含む複数の受信装置のチャンネルを切り替えることが出来る遠隔操作装置（例えば、特許文献１参照）、テンキーの操作により受付したチャンネルの数字を、途中で訂正することが出来る遠隔操作装置（例えば、特許文献２参照）、複数のチャンネルの静止画面を表示部に小さく表示することでユーザに番組情報を提供するテレビジョン受像機、受信した複数のチャンネルを所定時間毎に切り替えることで番組情報を提供するテレビジョン受像機等が挙げられる。
【特許文献１】特開平９−２１９８０２号公報
【特許文献２】特開２０００−３０７８８８号公報
【発明の開示】
【発明が解決しようとする課題】
【０００４】
しかしながら、前述のような機能の多くのものは、視聴者が一人である場合に限るものであり、単数のテレビジョン受像機に対して、複数の視聴者が存在する場合を想定した機能ではない。つまり、単数のテレビジョン受像機に対して、複数の視聴者が同時間帯に番組放送時間が重なる複数の番組の視聴を希望するいわゆるチャンネル争いの問題が発生した場合は、対応できない。
【０００５】
本発明は、斯かる事情に鑑みてなされたものであり、目的とするところは、複数の視聴者が同時間帯に番組放送時間の重なる複数の番組の視聴を希望する場合、前記複数の番組の各チャンネルの選択を受付け、乱数生成手段が生成した乱数に基づいて一つのチャンネル(又は、番組)を決定することにより、各選択者に不愉快感を与えずに、選択された複数の選択チャンネル（又は、選択番組）の中から一つのチャンネル（又は番組）を決定することが出来る受信装置及び遠隔操作装置を提供することにある。
【０００６】
本発明の他の目的は、複数のチャンネル(又は、番組)の選択を受付けるための画像を前記表示手段に表示するための指示を受付けた場合、前記画面を表示するようにしていることにより、チャンネル（又は、番組）の選択の際、各選択者は自分の選択を肉眼で確認することが出来る受信装置を提供することにある。
【０００７】
本発明の他の目的は、抽選処理別（又は、番組の決定毎）に、全選択者及び決定された決定チャンネル（又は、決定番組）の選択者を関連付けて決定履歴記憶手段に記憶しておき、該決定履歴記憶手段に記憶されているデータに基づいて各選択者にチャンネル（又は、番組）の決定結果を均等とするための選択者毎の当選確率を算出し、該当選確率に基づいてチャンネル（又は、番組）の決定を行うことにより、抽選結果が調整され、抽選結果に対する不満の発生を防止することが出来る受信装置を提供することにある。
【０００８】
本発明の他の目的は、操作を案内するための文字データを予め記憶しておき、所定の操作が行われた場合、前記文字データに基づく文章を表示手段に出力して操作案内を行うことにより、利用者の便宜を図ることができる受信装置を提供することにある。
【０００９】
本発明の他の目的は、操作を案内するための音声データを予め記憶しておき、所定の操作が行われた場合、前記音声データに基づく音声を音声出力手段に出力して操作案内を行うことにより、利用者の便宜を図ることができる受信装置を提供することにある。
【００１０】
本発明の他の目的は、番組の画像データ及び音声データを記録する番組記録手段を備えることにより、例えば、放送時間帯が重なる２つの番組をめぐって争いが発生し、前記２つの番組のチャンネルの選択に係る操作信号を受付けた場合、決定チャンネル(決定番組)以外のチャンネルの番組を録画することが出来る受信装置を提供することにある。
【００１１】
本発明の他の目的は、テレビジョン信号から複数のチャンネル別の番組タイトル、番組開始時刻、番組終了時刻等の番組データを抽出して記憶する記憶手段と、決定番組の決定結果及び前記選択番組データに基づき、決定された番組と他の番組とを表示手段に表示する順序を決定する出力順序決定手段とを備えることにより、他の番組が決定番組と番組開始時刻及び番組終了時刻を異にする場合、決定された番組と重ならない範囲で、決定された番組以外の番組を表示手段及び音声出力手段に出力することが出来る受信装置を提供することにある。
【００１２】
本発明の他の目的は、前記チャンネル決定手段（又は、番組決定手段）により決定されたチャンネル（又は、決定番組）の画像データ及び音声データに基づく画像及び音声を記録する記録手段と、前記記録の開始及び終了の時刻の指定に係る信号を受付ける予約受付手段とを備えることにより、決定チャンネルの番組を、指定した時刻に記録することが出来る受信装置を提供することにある。
【００１３】
本発明の他の目的は、操作信号に応じて文字を表示する表示部を備え、該表示部に決定されたチャンネルを表示することにより、チャンネル決定の結果を肉眼で確認することが出来る遠隔操作装置を提供することにある。
【課題を解決するための手段】
【００１４】
本発明に係る受信装置は、複数のチャンネルのうちいずれかのチャンネルを選局する選局手段と、前記選局手段が選局するチャンネルの選択に係る操作信号を受付ける受付手段とを備える受信装置において、前記受付手段が複数の操作信号を受付けた場合、乱数を生成する乱数生成手段と、該乱数生成手段により生成された乱数に基づき、１つのチャンネルを決定するチャンネル決定手段とを備え、前記選局手段が、前記チャンネル決定手段により決定された決定チャンネルを選局するようにしてあることを特徴とする。
【００１５】
本発明にあっては、前記受付手段が複数の操作信号を受付けた場合、前記乱数生成手段が乱数を生成し、前記チャンネル決定手段は、生成された乱数に基づいて選局すべきチャンネルを決定し、前記選局手段は、複数のチャンネルから決定チャンネルを選局する。
【００１６】
本発明に係る受信装置は、テレビジョン信号の複数のチャンネルのうちのいずれかのチャンネルを選局する選局手段と、前記選局手段が選局するチャンネルの選択に係る操作信号を受付ける受付手段と、前記操作信号に応じて文字を表示する表示手段と、選択された選択チャンネルを記憶する選択チャンネル記憶手段とを備える受信装置において、前記受付手段が複数の操作信号を受付けた場合、乱数を生成する乱数生成手段と、該乱数生成手段により生成された乱数に基づいて抽選処理を行う抽選処理手段と、該抽選処理手段による抽選処理結果に基づいて選局すべきチャンネルを決定するチャンネル決定手段とを備え、前記選局手段は、前記チャンネル決定手段により決定された決定チャンネルを選局するように構成してあることを特徴とする。
【００１７】
本発明にあっては、前記受付手段が複数の操作信号を受付けた場合、前記乱数生成手段が乱数を生成し、生成された乱数に基づいて抽選処理手段が抽選処理を行う。前記チャンネル決定手段は、前記抽選処理手段の抽選処理結果に基づいて選局すべきチャンネルを決定し、前記選局手段は、複数のチャンネルから決定チャンネルを選局する。
【００１８】
本発明に係る受信装置は、複数の操作信号を受付ける画像を前記表示手段に表示するための指示を受付ける指示受付手段を備えることを特徴とする。
【００１９】
本発明にあっては、前記手段の指示により、前記表示手段に複数の操作信号を受付けるための画像が表示され、前記受付手段が受付けた各操作信号に係る文字が表示される。
【００２０】
本発明に係る受信装置は、前記選択チャンネルの各選択者に係るデータを受付ける選択者受付手段と、該選択者受付手段が受付けた複数のデータを記憶する選択者記憶手段と、抽選処理別に、全選択者及び決定チャンネルの選択者に係るデータを関連付けた決定履歴を記憶する決定履歴記憶手段と、該決定履歴記憶手段に記憶されている決定履歴に基づき、チャンネル決定手段の決定結果を各選択者に均等とするための選択者毎の当選確率を算出する確率算出手段とを備え、前記抽選処理手段は、前記当選確率に基づいて抽選処理を行うように構成してあることを特徴とする。
【００２１】
本発明にあっては、前記選択者記憶手段が記憶している選択者に係るデータ及び前記チャンネル決定手段による決定結果に基づいて、抽選処理別に、全選択者及び決定チャンネルの選択者に係るデータを関連付けた決定履歴を前記決定履歴記憶手段に記憶する。前記確率算出手段は、前記決定履歴記憶手段が記憶している決定履歴に基づいて決定結果を各選択者に均等とするための選択者毎の当選確率を算出し、前記抽選処理手段は、前記当選確率に基づいて抽選処理を行う。
【００２２】
本発明に係る受信装置は、前記受付手段の操作を案内する文字データを予め記憶している文字データ記憶手段と、所定の操作が行われた場合、前記文字データ記憶手段が記憶している文字データに基づいて文章を前記表示手段に出力する文章出力指示手段とを備えること特徴とする。
【００２３】
本発明にあっては、前記文字データ記憶手段は、例えば、「視聴したいチャンネルをすべて選択してください」という操作を案内する文章の文字データを予め記憶しており、所定の操作が行われた場合、前記文章出力指示手段が、前記表示手段に前記文字データに基づく文章を出力する。
【００２４】
本発明に係る受信装置は、前記選局手段が選局したチャンネルの音声データに基づいて音声を出力する音声出力手段と、前記受付手段の操作を案内する音声データを予め記憶している音声データ記憶手段と、所定の操作が行われた場合、前記音声データ記憶手段が記憶している音声データに基づいて音声を前記音声出力手段に出力する音声出力指示手段とを備えること特徴とする。
【００２５】
本発明にあっては、前記音声データ記憶手段は、例えば、「視聴したいチャンネルをすべて選択してください」という操作を案内する文章を読み上げた音声データを予め記憶しており、所定の操作が行われた場合、前記音声出力指示手段が、前記音声データに基づく音声を前記音声出力手段に出力する。
【００２６】
本発明に係る受信装置は、番組の画像データ及び音声データに基づく画像及び音声を記録する番組記録手段と、前記チャンネル決定手段の決定結果に基づき、前記番組記録手段が記録すべき番組のチャンネルを決定する記録チャンネル決定手段と、該記録チャンネル決定手段の決定に基づき、前記番組記録手段が記録すべき番組のチャンネルを選局する記録チャンネル選局手段とを備えていることを特徴とする。
【００２７】
本発明にあっては、例えば、放送時間帯が重なる３つの番組をめぐってチャンネル争いが発生し、前記３つの番組のチャンネルの選択に係る操作信号を受付けた場合、前記記録チャンネル決定手段が、決定チャンネル以外の１つのチャンネルを決定する。前記記録チャンネル選局手段は、前記決定の結果に基づいてチャンネルを選局し、前記番組記録手段は、前記選局されたチャンネルの番組の画像及び音声を記録する。
【００２８】
本発明に係る受信装置は、テレビジョン信号の複数のチャンネルのうちいずれかのチャンネルを選局する選局手段と、前記選局手段が選局するチャンネルの選択に係る操作信号を受付ける受付手段と、前記テレビジョン信号から複数の番組タイトル、番組開始時刻、番組終了時刻等の番組データを抽出する番組データ抽出手段とを備える受信装置において、前記受付手段が、放送時間帯の一部が重なる複数の番組のチャンネルの選択に係る操作信号を受付けた場合、乱数を生成する乱数生成手段と、該乱数生成手段により生成された乱数に基づき、１つの番組を決定する番組決定手段とを備え、前記選局手段が、前記番組決定手段により決定された決定番組のチャンネルを選局するようにしてあることを特徴とする。
【００２９】
本発明にあっては、前記受付手段が複数の番組のチャンネルの選択に係る操作信号を受付けた場合、前記乱数生成手段が乱数を生成し、前記番組決定手段は、生成された乱数に基づいて１つの番組を決定し、前記選局手段は、決定された決定番組のチャンネルを選局する。
【００３０】
本発明に係る受信装置は、番組の画像データに基づく画像を表示する表示手段と、前記番組データ抽出手段により抽出された前記番組データを記憶する番組データ記憶手段と、該番組データ記憶手段に記憶された前記番組データに基づき、複数の番組の選択に係る操作信号を受付ける番組受付画像を前記表示手段に表示するための指示を受付ける指示受付手段とを備えることを特徴とする。
【００３１】
本発明にあっては、前記指示受付手段が、複数の番組の選択に係る操作信号を受付けるための番組受付画像を前記表示手段に表示するように指示を受付けた場合、前記表示手段に番組受付画像を表示し、番組の選択に係る操作信号を受付ける。
【００３２】
本発明に係る受信装置は、前記番組データ記憶手段に記憶された番組データに基づき、前記番組受付画像から選択された選択番組のタイトル、番組開始時刻、番組終了時刻の選択番組データを記憶する選択番組データ記憶手段と、前記番組決定手段の決定結果及び前記選択番組データ記憶手段が記憶している選択番組データに基づき、各選択番組の出力順序を決定する出力順序決定手段と、計時する計時手段と、前記選択番組データ記憶手段が記憶している選択番組データ、前記出力順序決定手段の決定結果、前記番組決定手段の決定結果及び前記計時手段の計時結果に基づき、前記選局手段に、番組のチャンネルの切替を指示するチャンネル切替指示手段とを備えることを特徴とする
【００３３】
本発明にあっては、前記番組データ記憶手段に記憶された番組データに基づき、前記番組受付画像から選択された選択番組のタイトル、番組開始時刻、及び番組終了時刻の選択番組データが選択番組データ記憶手段に記憶される。前記出力順序決定手段は、前記番組決定手段の決定結果及び前記選択番組データ記憶手段の選択番組データに基づき、各選択番組の出力順序を決定する。前記チャンネル切替指示手段は、前記選択番組データ記憶手段の選択番組データ、前記出力順序決定手段の決定結果、前記番組決定手段の決定結果及び前記計時手段の計時結果に基づき、前記選局手段に、番組のチャンネルの切替を指示する。
【００３４】
本発明に係る受信装置は、前記選択番組の各選択者に係るデータを受付ける選択者受付手段と、該選択者受付手段が受付けた複数のデータを記憶する選択者記憶手段と、番組の決定毎に、全選択者及び決定番組の選択者に係るデータを関連付けた決定履歴を記憶する決定履歴記憶手段と、該決定履歴記憶手段に記憶されている決定履歴に基づき、番組決定手段の決定結果を各選択者に均等とするための選択者毎の当選確率を算出する確率算出手段とを備え、前記番組決定手段は、前記当選確率に基づいて番組の決定を行うように構成してあることを特徴とする。
【００３５】
本発明にあっては、前記選択者記憶手段が記憶している選択者に係るデータ及び前記番組決定手段による決定結果に基づいて、番組決定手段の決定毎に、全選択者及び決定番組の選択者に係るデータを関連付けた決定履歴を前記決定履歴記憶手段に記憶する。前記確率算出手段は、前記決定履歴記憶手段が記憶している決定履歴に基づいて決定結果を各選択者に均等とするための選択者毎の当選確率を算出し、前記番組決定手段は、前記当選確率に基づいて番組の決定を行う。
【００３６】
本発明に係る受信装置は、前記受付手段の操作を案内する文字データを予め記憶している文字データ記憶手段と、所定の操作が行われた場合、前記文字データ記憶手段が記憶している文字データに基づいて文章を前記表示手段に出力する文章出力指示手段とを備えることを特徴とする。
【００３７】
本発明にあっては、前記文字データ記憶手段は、例えば、「視聴したい番組をすべて選択してください」という操作を案内する文章の文字データを予め記憶しておき、所定の操作が行われた場合、前記文章出力指示手段が、前記表示手段に前記文字データに基づく文章を出力する。
【００３８】
本発明に係る受信装置は、番組の音声データに基づいて音声を出力する音声出力手段と、前記受付手段の操作を案内する音声データを予め記憶している音声データ記憶手段と、所定の操作が行われた場合、前記音声データ記憶手段が記憶している音声データに基づいて音声を前記音声出力手段に出力する音声出力指示手段とを備えることを特徴とする。
【００３９】
本発明にあっては、前記音声データ記憶手段は、例えば、「視聴したい番組をすべて選択してください」という操作を案内する文章を読み上げた音声データを予め記憶しておき、所定の操作が行われた場合、前記音声出力指示手段が、前記音声データに基づく音声を前記音声出力手段に出力する。
【００４０】
本発明に係る受信装置は、番組の画像データ及び音声データに基づく画像及び音声を記録する番組記録手段と、前記番組決定手段の決定結果に基づき、前記番組記録手段が記録すべき番組を決定する記録番組決定手段と、該記録番組決定手段の決定に基づき、前記番組記録手段が記録すべき番組のチャンネルを選局する記録番組選局手段とを備えることを特徴とする。
【００４１】
本発明にあっては、例えば、放送時間帯が重なる３つの番組をめぐって争いが発生し、前記３つの番組のチャンネルの選択に係る操作信号を受付けた場合、前記記録番組決定手段が、決定番組以外の１つの番組を決定する。前記記録番組選局手段は、前記決定の結果に基づいてチャンネルを選局し、前記番組記録手段は、前記記録番組選局手段によって選局されたチャンネルの番組の画像及び音声を記録する。
【００４２】
本発明に係る受信装置は、前記選局手段が選局したチャンネルの画像データ及び音声データに基づく画像及び音声を記録する記録手段と、前記記録の開始及び終了の時刻の指定に係る信号を受付ける予約受付手段と、該予約受付手段が受付けた信号に基づき、前記記録手段に記録開始及び記録終了を指示する記録制御手段とを備えることを特徴とする。
【００４３】
本発明にあっては、前記予約受付手段は、前記チャンネル決定手段により決定された決定チャンネルの画像及び音声の記録の開始時刻及び終了時刻に係る信号を受付け、記録制御手段は、前記予約受付手段が受付けた信号に基づき、前記記録手段に前記決定チャンネルの画像及び音声の記録開始及び記録終了を指示する。
【００４４】
本発明に係る遠隔操作装置は、テレビジョン信号を受信する外部装置を遠隔操作し、該外部装置へ送信すべきチャンネルの選択に係る操作信号を受付ける受付手段と、選択された選択チャンネルを記憶する選択チャンネル記憶手段と、前記操作信号を送信する送信手段とを備える遠隔操作装置において、前記受付手段が複数の操作信号を受付けた場合、乱数を生成する乱数生成手段と、該乱数生成手段により生成された乱数に基づいて１つのチャンネルを決定するチャンネル決定手段と、該チャンネル決定手段により決定された決定チャンネルの信号を前記外部装置に送信するように構成してあることを特徴とする。
【００４５】
本発明にあっては、前記受付手段が複数のチャンネルの選択に係る操作信号を受付けた場合、前記乱数生成手段が乱数を生成し、生成された乱数に基づいて前記チャンネル決定手段は前記外部装置へ送信すべきチャンネルを決定し、前記送信手段は決定された決定チャンネルに係る信号を前記外部装置へ送信する。
【００４６】
本発明に係る遠隔操作装置は、前記操作信号に応じて文字を表示する表示部と、前記チャンネル決定手段により決定されたチャンネルを前記表示部へ表示する決定結果表示指示手段とを備えることを特徴とする。
【００４７】
本発明にあっては、前記チャンネル決定手段により決定チャンネルが決定された場合、決定結果表示指示手段が、前記表示部へ決定チャンネルを表示する。
【発明の効果】
【００４８】
本発明によれば、複数の視聴者が同時間帯に番組放送時間の重なる複数の番組の視聴を希望する場合、前記複数の番組の各チャンネルの選択を受付け、乱数生成手段が生成した乱数に基づいて１つのチャンネル（又は、番組）を決定するので、各選択者に不愉快感を与えずに、選択された複数の選択チャンネル（又は、選択番組）の中から一つのチャンネルを決定することが出来る。
【００４９】
本発明によれば、複数のチャンネル(又は、番組)の選択を受付けるための画像が前記表示手段に表示されるので、チャンネル(又は、番組)の選択の際、各選択者は自分の選択を肉眼で確認することが出来る。
【００５０】
本発明によれば、抽選処理別（又は、番組の決定毎）に、全選択者及び決定された決定チャンネル（又は、決定番組）の選択者を関連付けて決定履歴記憶手段に記憶しておき、該決定履歴記憶手段に記憶されているデータに基づいて各選択者にチャンネル（又は、番組）の決定結果を均等とするための選択者毎の当選確率を算出し、該算出の結果に基づいてチャンネル（又は、番組）の決定を行うので、抽選結果を調整し、抽選結果に対する不満の発生を防止することが出来る。
【００５１】
本発明によれば、操作を案内するための文字データを予め記憶しておき、所定の操作が行われた場合、前記文字データに基づく文章を表示手段に出力して操作案内を行うので、利用者の便宜を図ることができる。
【００５２】
本発明によれば、操作を案内するための音声データを予め記憶しておき、所定の操作が行われた場合、前記音声データに基づく音声を音声出力手段に出力して操作案内を行うので、例えば、子供による操作又は暗い環境での操作に置いて利用者の便宜を図ることができる。
【００５３】
本発明によれば、番組の画像データ及び音声データに基づく画像及び音声を記録する番組記録手段を備えているので、例えば、放送時間帯が重なる２つの番組をめぐって争いが発生した場合、決定チャンネル以外のチャンネルの番組を、前記番組記録手段を用いて記録することが出来る。
【００５４】
本発明によれば、決定された番組と他の番組とが、番組開始時刻及び番組終了時刻を異にする場合、決定された番組と重ならない範囲で、決定された番組以外の番組を表示手段及び音声出力手段に出力することが出来る。
【００５５】
本発明によれば、チャンネル決定手段（又は、番組決定手段）により決定された決定チャンネル（又は、決定番組）の放送時間に合わせて前記記録手段の記録開始及び終了の時刻を予約し、決定チャンネルの番組を記録することが出来る。
【００５６】
本発明によれば、遠隔操作装置に操作信号に応じて文字を表示する表示部を備え、該表示部に決定されたチャンネルを表示するので、チャンネル決定の結果を肉眼で確認することが出来る。
【発明を実施するための最良の形態】
【００５７】
（実施の形態１）
以下、本発明をその実施の形態を示す図面に基づいて詳述する。
【００５８】
図１は、本発明の実施の形態１に係る受信装置の要部構成を示すブロック図である。本発明に係る受信装置は、複数のチャンネル及び各チャンネルの番組情報を含むテレビジョン信号を受信するテレビジョンアンテナ１を備え、該テレビジョンアンテナ１により受信されたテレビジョン信号はチューナ部２へ送られる。チューナ部２は、制御装置６からの指示信号に応じて所定チャンネル信号のみを信号処理部３へ送る。信号処理部３は、チューナ部２から送られてくる所定チャンネル信号から画像信号を抜取ってＯＳＤ処理部１０へ送る。ＯＳＤ処理部１０は、送られてきた画像信号又は表示すべき文字データに係る信号を前記画像信号に合成して例えば液晶パネルのような画像表示部４へ表示する。また、信号処理部３は、所定チャンネル信号から音声信号を抜取って音声合成部１１へ送る。音声合成部１１は、送られてきた音声信号又は出力すべき音声データに係る信号を前記音声信号に合成して音声出力部５へ出力する。
【００５９】
また、本発明に係る受信装置は、制御装置６からの信号に応じて乱数を生成する乱数生成部７と、例えばチャンネルの受付、音量調節等のための受付手段９とを備えている。
【００６０】
前記制御装置６は、ＣＰＵ、ＲＯＭ、ＲＡＭ及び入出力ポートから成る。前記ＣＰＵは、内部バスを介して前述した制御装置６のハードウェア各部と接続されており、前記乱数生成部７の生成結果に基づく抽選処理、該抽選処理結果に基づくチャンネルの決定、決定されたチャンネルの前記画像表示部４への表示指示及びＲＯＭに予め格納されている処理プログラムの実行等を行う。前記ＲＯＭには、処理プログラム以外にも、前記画像表示部４へ表示するための文字データ等が予め記憶されている。ＲＡＭは、プログラムの実行時に発生する一時的なデータ、つまり受付けたチャンネル番号を記憶する。
【００６１】
図２は、本発明の実施の形態１に係る受信装置の受付手段の一例を示す模式図である。
【００６２】
前記受付手段９は、受信装置を遠隔で操作するリモコン装置であり、電源をオン／オフするための電源キー９９と、チャンネル選局用のテンキー９８と、音量調節用のアップ・ダウンキー９１と、チャンネル選局用のアップ・ダウンキー９２と、前記画像表示部４にメニュー画面の表示及びチャンネル番号の選択者に係る文字データを受付けるためのメニューキー９３と、前記メニュー画面のカーソルを上下に移動させるためのアップ・ダウンキー９６と、カーソルを左右に移動させるためのレフト・ライトキー９７とを備えている。また、前記受付手段９は、同時に複数のユーザの間に、視聴を希望する複数の番組のチャンネル（以下、希望チャンネルと言う）をめぐっていわゆるチャンネル争いが生じた場合、複数のユーザが、希望チャンネルを選択する画像の表示を要求するための解決キー９４と、乱数を生成させて複数のチャンネルの中から一つのチャンネルを決定させるための決定キー９５とを備えている。
【００６３】
以下に、放送時間帯が重なる複数の番組のチャンネルをめぐってチャンネル争いが生じた場合、本発明に係る受信装置による処理過程を説明する。図３は、本発明の実施の形態１に係る受信装置のチャンネル争いに対するＣＰＵの制御手順を示すフローチャートである。
【００６４】
例えば、Ａ及びＢの２名のユーザにより、Ａ２番組とＢ４番組とをめぐってチャンネル争いが発生したとする。Ａ又はＢのいずれかのユーザが受付手段９の解決キー９４を押し、各希望チャンネルを選択するための希望チャンネル番号選択画像の表示を要求する信号を送出する。前記解決キー９４が押され、希望チャンネル番号選択画像表示要求信号を取得した場合（Ｓ３１１）、ＣＰＵはＲＯＭに予め記憶されているデータに基づく希望チャンネル番号選択画像データをＯＳＤ処理部１０へ送出し（Ｓ３１２）、画像表示部４に希望チャンネル番号選択画像を表示する。前記希望チャンネル番号選択画像の一例を図４（ａ）に示す。図中白抜き矢印で示す四角図形はカーソルであり、ユーザは、前記希望チャンネル番号選択画像の案内に従ってチャンネル選局用のアップ・ダウンキー９２又はテンキー９８を操作して希望チャンネル番号を夫々選択する。選択されたチャンネルの番号は、前記希望チャンネル番号選択画像に表示される。ユーザの選択によりＣＰＵは希望チャンネル番号の信号を受付け（Ｓ３１３）、希望チャンネル番号をＲＡＭに記憶する（Ｓ３１４）。ユーザは希望チャンネル番号の選択が終わった場合、受付手段９の決定キー９５を押して選択終了信号を送出する。ＣＰＵは、選択終了信号を取得したか否かを判断し、選択終了信号を取得していない場合（Ｓ３１５：ＮＯ）、選択終了信号を取得するまで待つ。選択終了信号を取得した場合（Ｓ３１５：ＹＥＳ）、ＣＰＵは、乱数生成部７へ２つの乱数を生成するように乱数生成指示信号を送出する（Ｓ３１６）。乱数生成部７により乱数が生成され、乱数生成結果を取得した場合、ＣＰＵは、前記乱数生成結果をＲＡＭに記憶する（Ｓ３１７）。
【００６５】
次いで、ＣＰＵはＲＡＭに記憶されている前記乱数生成結果及び希望チャンネル番号に基づき、抽選処理を実行する（Ｓ３１８）。つまり、２つの希望チャンネル番号に、生成された２つの乱数を一つずつ割当てる処理である。前記抽選処理の結果に基づき、ＣＰＵは表示すべきチャンネルを決定する（Ｓ３１９）。例えば、乱数の値の大きさを比較し、一番大きい乱数が割当てられたチャンネル番号を選択する。ＣＰＵは、前記チャンネルの決定結果及びＲＯＭに予め記憶されているデータに基づいてチャンネル決定結果表示画像データをＯＳＤ処理部１０へ送出し（Ｓ３２０）、画像表示部４にチャンネル決定結果表示画像を表示する。前記チャンネル決定結果表示画像の一例を図４（ｂ）に示しており、Ｓ３１９で決定されたチャンネル（以下、決定チャンネル）の番号が表示される。次いで、ＣＰＵは決定チャンネルの選局を指示する信号をチューナ部２へ送出する（Ｓ３２１）。チューナ部２は、ＣＰＵからの前記信号に応じて決定チャンネルを選局し、決定チャンネルの画像が画像表示部４へ表示される。
【００６６】
実施の形態１にあっては、希望チャンネル番号の選択において、解決キー９４の操作によって希望チャンネル番号を選択するための希望チャンネル番組選択画像が画像表示部４に表示され、ユーザがチャンネル番号の選択を行う場合ついて説明したが、これに限るものではない。所定時間、例えば１分以内に受付手段９が複数のチャンネル番号の選択を受付けた場合、ＣＰＵがこれを希望チャンネル番号の選択として認識し、抽選処理を行うように構成しても良い。また、前記受付手段９は、１つに限るものではなく、複数であっても良い。つまり、１つの受信装置に係る受付手段９が複数であり、１分以内に各受付手段９，９，９…が、夫々チャンネル番号の選択を受付けた場合、ＣＰＵがこれを希望チャンネル番号の選択として認識し、抽選処理を行うように構成しても良い。
【００６７】
実施の形態１にあっては、希望チャンネル番号の選択案内及びチャンネル決定結果表示において画像表示部４を用いて視覚的に案内する場合について説明したが、これに限るものではなく、ＲＯＭ６２に予め音声データを記憶しておき、音声出力部５を用いて聴覚的にも案内するようにしても良い。
【００６８】
実施の形態１においては、解決キー９４を押して希望チャンネル番号選択画像を表示する場合について説明したが、これに限るものではなく、メニューキー９３により表示されるメニューのコンテンツとして予め用意して置いても良い。
【００６９】
実施の形態１においては、受付手段９がリモコン装置である場合について説明したが、これに限るものではなく、受信装置の本体に備えられた受付手段であっても良い。
【００７０】
実施の形態１においては、チューナ部２が本体に備えられている受信装置の場合について説明したが、これに限るものではなく、セット・トップ・ボックス（ＳＥＴ・ＴＯＰ・ＢＯＸ）とも呼ばれる外付け形チューナを備えることにより、チューナ部が本体に備えられていない受信装置に対しても適用が可能となる。
【００７１】
（実施の形態２）
本発明の実施の形態２に係る受信装置は、実施の形態１の如くテレビジョンアンテナ１と、チューナ部２と、信号処理部３と、ＯＳＤ処理部１０と画像表示部４と音声出力部５と、乱数生成部７と、受付手段９と、制御装置６とを備えている。
【００７２】
図５は、本発明の実施の形態２に係る受信装置に備えられた制御装置の構成を示すブロック図である。
【００７３】
制御装置６は、ＣＰＵ６１と、ＲＯＭ６２と、ＲＡＭ６３と、プログラムの実行時に発生するデータ、つまり希望チャンネルの選択者及び決定チャンネルの選択者を関連付けて累積的に記憶するＥＰＲＯＭ６５とから成る。
【００７４】
図６は、本発明の実施の形態２に係る受信装置のチャンネル争いに対するＣＰＵの制御手順を示すフローチャートである。
【００７５】
例えば、お父さん及びお母さんの２名のユーザにより、番組２と番組４とをめぐってチャンネル争いが発生したとする。お父さん又はお母さんのいずれかのユーザが受付手段９の解決キー９４を押すことにより、ＣＰＵ６１が希望チャンネル番号選択画像表示要求信号を取得する（Ｓ６１１）。ＣＰＵ６１は希望チャンネル番号選択画像データをＯＳＤ処理部１０へ送出し（Ｓ６１２）、画像表示部４に希望チャンネル番号選択画像を表示する。前記希望チャンネル番号選択画像の一例を図７（ａ）に示す。図中白抜き矢印で示す四角図形はカーソルであり、ユーザは、受付手段９のメニューキー９３及び音量調節用のアップ・ダウンキー９１を操作して各希望チャンネルの選択者を表す文字を夫々選択する。また、ユーザは、チャンネル選局用のアップ・ダウンキー９２又はテンキー９８を操作して希望チャンネル番号を夫々選択する。ＣＰＵ６１はユーザの選択により希望チャンネル番号に係る信号を受付け（Ｓ６１３）、希望チャンネル番号をＲＡＭ６３に記憶する（Ｓ６１４）。ユーザは希望チャンネル番号の選択が終わった場合、受付手段９の決定キー９５を押して選択終了信号を送出する。ＣＰＵ６１は、選択終了信号を取得したか否かを判断し（Ｓ６１５）、選択終了信号を取得していない場合（Ｓ６１５：ＮＯ）、選択終了信号を取得するまで待つ。選択終了信号を取得した場合（Ｓ６１５：ＹＥＳ）、ＣＰＵ６１は、ＥＰＲＯＭ６５に、抽選処理別に記憶している希望チャンネルの選択者及び決定チャンネルの選択者のデータに基づく所定当選確率を算出する（Ｓ６１６）。例えば、お父さんとお母さんとの間のチャンネル争いの履歴が５回であって、５回のうち決定チャンネルとして抽選された回数が、お父さんは３回、お母さんは２回であるとした場合、今回の抽選処理における所定当選確率は、お父さんが４０％、お母さんが６０％にする。これは、抽選結果が出来る限り公平になるように調整し、抽選結果に対する選択者の不満を未然に防止するためである。
【００７６】
次いで、ＣＰＵ６１は、乱数生成部７へ乱数生成指示信号を送出する（Ｓ６１７）。乱数生成部７により乱数が生成され、乱数生成結果を取得した場合、ＣＰＵ６１は、前記乱数生成結果をＲＡＭ６３に記憶する（Ｓ６１８）。ＣＰＵ６１はＲＡＭ６３に記憶されている前記乱数生成結果、希望チャンネル番号及び前記所定当選確率に基づき、生成された乱数を夫々の希望チャンネル番号に割当てる抽選処理を実行する（Ｓ６１９）。例えば、当選確率４０％のお父さんには２つの乱数を、当選確率６０％のお母さんには３つの乱数を割当てる。次いで、ＣＰＵ６１はチャンネルを決定する（Ｓ６２０）。例えば、乱数の値の大きさを比較し、一番大きい乱数が割当てられたチャンネル番号を決定する。ＣＰＵ６１は、前記決定結果に基づき、チャンネル決定結果表示画像データをＯＳＤ処理部１０へ送出し（Ｓ６２１）、画像表示部４にチャンネル決定結果表示画像を表示する。前記チャンネル決定結果表示画像の一例を図７（ｂ）に示す。前記チャンネル決定結果表示画像には、決定チャンネル及び決定チャンネルの選択者が表示される。次いで、ＣＰＵ６１は決定チャンネルの選局を指示する信号をチューナ部２へ送出する（Ｓ６２２）。チューナ部２は、ＣＰＵ６１からの前記信号に応じて決定チャンネルを選局し、決定チャンネルの画像及び音声が、画像表示部４及び音声出力部５へ夫々表示及び出力される。ＣＰＵ６１は、今回における希望チャンネルの全選択者及び決定チャンネルの選択者を関連付けてＥＰＲＯＭ６５に記憶する（Ｓ６２３）。
【００７７】
実施の形態２においては、希望チャンネル番号を選択するための希望チャンネル番号選択画像が画像表示部４に表示され、解決キー９４の操作によってユーザがチャンネル番号の選択を行う場合ついて説明したが、これに限るものではない。所定時間、例えば１分以内に受付手段９が複数のチャンネル番号の選択を受付けた場合、ＣＰＵ６１がこれを希望チャンネル番号の選択として認識し、抽選処理を行うように構成しても良い。また、前記受付手段９は、１つに限るものではなく、複数であっても良い。つまり、１つの受信装置に係る受付手段９が複数であり、１分以内に各受付手段９，９，９…が、夫々チャンネル番号の選択を受付けた場合、ＣＰＵ６１がこれを希望チャンネル番号の選択として認識し、抽選処理を行うように構成しても良い。
【００７８】
実施の形態２においては、受付手段９がリモコン装置である場合について説明したが、これに限るものではなく、受信装置本体に備えられた受付手段であっても良い。
【００７９】
実施の形態２においては、チューナ部２が本体に備えられている受信装置の場合について説明したが、これに限るものではなく、外付け形チューナを備えることにより、チューナ部が本体に備えられていない受信装置に対しても適用が可能となる。
【００８０】
実施の形態１と同様の部分については、同一の符号を付して詳細な説明を省略する。
【００８１】
（実施の形態３）
図８は、本発明の実施の形態３に係る受信装置の要部構成を示すブロック図である。受信装置は、実施の形態１の如くテレビジョンアンテナ１と、チューナ部２と、信号処理部３と、ＯＳＤ処理部１０と、音声合成部１１と、画像表示部４と、音声出力部５と、乱数生成部７と、受付手段９とを備えており、実施の形態１と違ってＥＰＧ（電子番組ガイダンス）処理部８を備えている。前記ＥＰＧ処理部８は、制御装置６からの信号に応じて前記テレビジョン信号からチャンネル別の番組のタイトル、番組の放送時間等の番組データを抽出し、制御装置６に送出する。
【００８２】
図９は、本発明の実施の形態３に係る受信装置に備えられた制御装置の構成を示すブロック図である。制御装置６は、ＣＰＵ６１と、ＲＯＭ６２と、ＲＡＭ６３と、時刻を計測する計時手段６４とから成る。
【００８３】
図１０及び図１１は、本発明の実施の形態３に係る受信装置のチャンネル争いに対するＣＰＵの制御手順を示すフローチャートである。
【００８４】
例えば、Ａ及びＢの２名のユーザが視聴を希望する番組（以下、希望番組と言う）は夫々Ａ２番組及びＢ４番組であり、Ｂ４番組がＡ２番組より放送開始時刻が２０分早いとする。Ａ又はＢのいずれかのユーザにより、前記解決キー９４が押され、ＣＰＵ６１が希望番組選択画像表示要求信号を取得した場合（Ｓ１０１１）、ＣＰＵ６１は番組データ抽出指示信号をＥＰＧ処理部８へ送出する（Ｓ１０１２）。ＥＰＧ処理部８は、ＣＰＵ６１からの番組データ抽出指示信号に応じてチャンネル別に、番組のタイトル、該番組の放送時間等の番組データをテレビジョン信号から抽出し、抽出した番組データをＣＰＵ６１へ送出する。ＣＰＵ６１は、前記番組データを取得してＲＡＭ６３に記憶する。次いで、ＣＰＵ６１は、前記番組データ及びＲＯＭ６２に予め記憶されているデータに基づき、希望番組選択画像データをＯＳＤ処理部１０へ送出する（Ｓ１０１３）。ＯＳＤ処理部１０は、画像表示部４に希望番組選択画像を表示する。前記希望番組選択画像の一例を図１２（ａ）に示す。前記希望番組選択画像には、チャンネル別の番組タイトル、番組放送開始時刻、番組放送終了時刻の情報が表示されている。ユーザは前記希望番組選択画像の案内に従ってアップ・ダウンキー９６と、レフト・ライトキー９７とを操作することにより希望番組及び該希望番組のチャンネル番号を選択する。ＣＰＵ６１は、ユーザの選択により、希望番組のタイトル及び該希望番組のチャンネル番号に係る信号を受付け（Ｓ１０１４）、ＲＡＭ６３に記憶されている前記番組データに基づき、各希望番組のタイトル、該希望番組のチャンネル番号、放送開始時刻及び放送終了時刻を関連付けてＲＡＭ６３に記憶する（Ｓ１０１５）。ユーザは希望番組の選択が終わった場合、受付手段９の決定キー９５を押して選択終了信号を送出する。ＣＰＵ６１は、選択終了信号を取得したか否かを判断し（Ｓ１０１６）、選択終了信号を取得していない場合（Ｓ１０１６：ＮＯ）、選択終了信号を取得するまで待つ。選択終了信号を取得した場合（Ｓ１０１６：ＹＥＳ）、ＣＰＵ６１は、乱数生成部７へ乱数生成指示信号を送出する（Ｓ１０１７）。乱数生成部７により乱数が生成され、乱数生成結果を取得した場合、ＣＰＵ６１は前記乱数生成結果をＲＡＭ６３に記憶する（Ｓ１０１８）。
【００８５】
次いで、ＣＰＵ６１はＲＡＭ６３に記憶されている前記乱数生成結果及び希望番組に基づき、生成された乱数を希望番組毎に割当てる抽選処理を実行する（Ｓ１０１９）。次いで、ＣＰＵ６１は表示すべき番組（以下、決定番組と言う）を決定する（Ｓ１０２０）。ＣＰＵ６１は、ＲＡＭ６３に記憶されている番組データに基づき、選択された希望番組のうち、番組放送開始時刻が前記決定番組以降であって、番組放送終了時刻が前記決定番組以前である希望番組を除く他の希望番組の画像表示部４への表示順序を決定する番組表示順序決定を実行する（Ｓ１０２１）。また、ＣＰＵ６１は、番組決定の結果、番組表示順序決定の結果及びＲＡＭ６３に記憶されている番組データに基づき、番組決定結果表示画像データをＯＳＤ処理部１０へ送出し（Ｓ１０２２）、画像表示部４に番組決定結果表示画像を表示する。前記番組決定結果表示画像の一例を図１２（ｂ）に示す。例えば、実施の形態３の場合は、Ａ２番組が決定番組として決定されたことと、番組放送開始時刻の早い希望番組のＢ４番組を前記決定番組のＡ２番組の放送開始時刻まで表示することとが案内される。次いで、ＣＰＵ６１はＢ４番組のチャンネル選局指示信号をチューナ部２へ送出する（Ｓ１０２３）。チューナ部２は、ＣＰＵ６１からの前記信号に応じてＢ４番組のチャンネルを選局し、Ｂ４番組のチャンネルの画像が画像表示部４へ表示される。Ｂ４番組のチャンネル選局指示信号の送出後、ＣＰＵ６１は計時手段６４に計時開始指示信号を送出する（Ｓ１０２４）。ＣＰＵ６１は、計時手段６４による現在時刻の計時結果が、Ａ２番組の放送開始時刻Ｔｓであるか否かを判断する（Ｓ１０２５）。前記計時結果がＴｓでない場合（Ｓ１０２５：ＮＯ）、ＣＰＵ６１は前記計時結果がＴｓになるまで待つ。前記計時結果がＴｓである場合（Ｓ１０２５：ＹＥＳ）、ＣＰＵ６１は、Ｂ４番組のチャンネルから決定番組のＡ２番組のチャンネルへのチャンネル切替指示信号をチューナ部２に送出する（Ｓ１０２６）。チューナ部２は、ＣＰＵ６１からの前記信号に応じてＡ２番組のチャンネルを選局し、Ａ２番組の画像が画像表示部４へ表示される。
【００８６】
実施の形態３においては、希望番組を選択するための希望番組選択画像が画像表示部４に表示され、解決キー９４の操作によってユーザが選択を行う場合について説明したが、これに限るものではない。所定時間、例えば１分以内に受付手段９が複数の番組の番号の選択を受付けた場合、ＣＰＵ６１がこれを希望番組の選択として認識し、抽選処理を行うように構成しても良い。また、前記受付手段９は、１つに限るものではなく、複数であっても良い。つまり、１つの受信装置に係る受付手段９が複数であり、１分以内に各受付手段９，９，９…が、夫々番組の選択を受付けた場合、ＣＰＵ６１がこれを希望番組の選択として認識し、抽選処理を行うように構成しても良い。
【００８７】
実施の形態３においては、希望番組のＢ４番組の放送開始時刻が、決定番組のＡ２番組の放送開始時刻より早い場合について説明したが、これに限るものではなく、希望番組のＢ４番組の放送終了時刻が、決定番組のＡ２番組の放送終了時刻より遅い場合は、決定番組のＡ２番組の番組放送終了後にＢ４番組のチャンネルへチャンネルを切り替えるように構成しても良い。つまり、計時手段６４による計時結果がＡ２番組の放送終了時刻であるか否かを判断し、ＣＰＵ６１が、決定番組のＡ２番組のチャンネルからＢ４番組のチャンネルへのチャンネル切替指示信号をチューナ部２に送出するようにすれば良い。
【００８８】
実施の形態３においては、チューナ部２が本体に備えられている受信装置の場合について説明したが、これに限るものではなく、外付け形チューナを備えることにより、チューナ部が本体に備えられていない受信装置に対しても適用が可能となる。
【００８９】
実施の形態１及び２と同様の部分については、同一の符号を付して詳細な説明を省略する。
【００９０】
（実施の形態４）
図１３は、本発明の実施の形態４に係る受信装置の要部構成を示すブロック図である。本発明の実施の形態４に係る受信装置は、実施の形態３の如くテレビジョンアンテナ１と、チューナ部２と、信号処理部３と、ＯＳＤ処理部１０と、音声合成部１１と、画像表示部４と、音声出力部５と、乱数生成部７と、受付手段９とを備えている。記録手段１５は、記録用チューナ部１５１及び記録部１５２を備え、制御装置６からの信号に応じて記録用チューナ部１５１が選局したチャンネルの画像及び音声データを記録する。
【００９１】
制御装置６は、実施の形態３の如くＣＰＵと、ＲＯＭと、ＲＡＭと、計時手段とから成る。
【００９２】
図１４は、本発明の実施の形態４に係る受信装置のチャンネル争いに対するＣＰＵの制御手順を示すフローチャートである。
【００９３】
例えば、Ａ及びＢの２名のユーザにより、Ａ２番組と、Ａ２番組と放送開始時刻が同一又は少し遅く、放送終了時刻が同一又は早いＢ４番組とをめぐってチャンネル争いが発生したとする。Ａ又はＢのいずれかのユーザにより解決キー９４が押され、ＣＰＵが希望番組選択画像表示要求信号を取得した場合（Ｓ１３１１）、ＣＰＵは番組データ抽出指示信号をＥＰＧ処理部８へ送出する（Ｓ１３１２）。ＥＰＧ処理部８は、ＣＰＵからの番組データ抽出指示信号に応じて番組データをテレビジョン信号から抽出し、番組データをＣＰＵへ送出する。ＣＰＵは、前記番組データを取得してＲＡＭに記憶する。また、ＣＰＵは、前記番組データ及びＲＯＭに予め記憶されているデータに基づき、希望番組選択画像データをＯＳＤ処理部１０へ送出する（Ｓ１３１３）。ＯＳＤ処理部１０は、画像表示部４に希望番組選択画像を表示する。前記希望番組選択画像の一例を図１５（ａ）に示す。ＣＰＵはユーザの選択により、希望番組のタイトル及び該希望番組のチャンネル番号に係る信号を受付け（Ｓ１３１４）、ＲＡＭに記憶されている前記番組データに基づき、各希望番組のタイトル、該希望番組のチャンネル番号、放送開始時刻及び放送終了時刻を関連付けてＲＡＭに記憶する（Ｓ１３１５）。ユーザは希望番組の選択が終わった場合、受付手段９の決定キー９５を押して選択終了信号を送出する。ＣＰＵは、選択終了信号を取得したか否かを判断し（Ｓ１３１６）、選択終了信号を取得していない場合（Ｓ１３１６：ＮＯ）、選択終了信号を取得するまで待つ。選択終了信号を取得した場合（Ｓ１３１６：ＹＥＳ）、ＣＰＵは、乱数生成部７へ乱数生成指示信号を送出する（Ｓ１３１７）。乱数生成部７により乱数が生成され、乱数生成結果を取得した場合、ＣＰＵは前記乱数生成結果をＲＡＭに記憶する（Ｓ１３１８）。
【００９４】
次いで、ＣＰＵは、ＲＡＭに記憶されている前記乱数生成結果及び希望番組に基づき、抽選処理を実行する（Ｓ１３１９）。次いで、ＣＰＵは表示すべき番組を決定する（Ｓ１３２０）。また、ＣＰＵは、番組決定の結果、ＲＡＭに記憶されている希望番組及び希望番組夫々の番組データに基づき、番組決定結果表示画像データをＯＳＤ処理部１０へ送出し（Ｓ１３２１）、画像表示部４に番組決定結果表示画像を表示する。前記番組決定結果表示画像の一例を図１５（ｂ）に示す。前記番組決定結果表示画像には、Ａ２番組が決定番組として決定されたことと、Ｂ４番組を記録手段１５へ記録することを表示する。次いで、ＣＰＵはＡ２番組のチャンネル選局指示信号をチューナ部２へ送出する（Ｓ１３２２）。チューナ部２は、ＣＰＵからの前記信号に応じて決定番組のＡ２番組のチャンネルを選局し、Ａ２番組の画像及び音声が、画像表示部４及び音声出力部５へ夫々表示及び出力される。また、ＣＰＵは、計時手段に計時開始指示信号を送出する（Ｓ１３２３）。ＣＰＵは、計時手段よる計時結果が、Ｂ４番組の放送開始時刻であるか否かを判断し、前記計時結果が、Ｂ４番組の放送開始時刻である場合、ＣＰＵは、記録手段１５の記録用チューナ部１５１にＢ４番組のチャンネル選局指示信号を送出する（Ｓ１３２４）。記録用チューナ部１５１は、ＣＰＵからの前記信号に応じてＢ４番組のチャンネルを選局し、記録部１５２へ送る。ＣＰＵは記録部１５２に記録指示信号を送出する（Ｓ１３２５）。ＣＰＵからの記録指示信号に応じて記録部１５２は記録を開始する。
【００９５】
実施の形態４においては、希望番組を選択するための希望番組選択画像が画像表示部４に表示され、解決キー９４の操作によってユーザが番組の選択を行う場合ついて説明したが、これに限るものではない。所定時間、例えば１分以内に受付手段９が複数の番組の選択を受付けた場合、ＣＰＵがこれを希望番組の選択として認識し、抽選処理を行うように構成しても良い。また、前記受付手段９は、１つに限るものではなく、複数であっても良い。つまり、１つの受信装置に係る受付手段９が複数であり、１分以内に前記受付手段９，９，９…が複数の番組の選択を受付けた場合、ＣＰＵがこれを希望番組の選択として認識し、抽選処理を行うように構成しても良い。
【００９６】
実施の形態４においては、希望番組が２つ存在する場合について説明したが、これに限るものでない。希望番組が３つ以上である場合は、例えば、決定番組以外の希望番組のうち、割当てられた乱数の大きさが一番小さい番組を録画対象番組にするような構成にしておけばよい。
【００９７】
実施の形態４においては、受信装置及び記録手段１５の本体にチューナ部２及び記録用チューナ部１５１が夫々備えられている場合について説明したが、これに限るものではなく、チューナ部２及び／又は記録用チューナ部１５１が、外付け形チューナであるように構成しても良い。
【００９８】
実施の形態４において、チューナ部２を備える受信装置と、記録用チューナ部１５１を備える記録手段１５とは、分離していても良く、一体であっても良い。
【００９９】
実施の形態１乃至３と同様の部分については、同一の符号を付して詳細な説明を省略する。
【０１００】
（実施の形態５）
図１６は、本発明の実施の形態５に係る受信装置の要部構成を示すブロック図である。本発明に係る受信装置は、テレビジョンアンテナ３１と、チューナ部３２と、乱数を生成する乱数生成部３７と、制御装置３６からの信号に応じて前記チューナ部３２が選択したテレビジョン信号に含まれた画像及び音声データを記録する記録部３３と、記録すべきチャンネル、記録開始時刻及び記録終了時刻の指定を受付けるための受付手段３９と、受付手段３９の操作に応じて画像を表示する表示部３４とを備えている。
【０１０１】
図１７は、本発明の実施の形態５に係る受信装置の受付手段の一例を示す模式図である。
【０１０２】
前記受付手段３９は、受信装置を遠隔で操作するリモコン装置であり、電源をオン／オフするための電源キー３９９と、チャンネル選局及び記録時刻の指定のためのテンキー３９８と、チャンネル選局用のアップ・ダウンキー３９２と、前記表示部３４にメニュー画面を表示するためのメニューキー３９３と、前記メニュー画面のカーソルを上下に移動させるためのアップ・ダウンキー３９６と、カーソルを左右に移動させるためのレフト・ライトキー３９７と、解決キー３９４と、決定キー３９５と、録画において記録媒体を操作するための、一時停止、早送り、早戻し等のキーとを備えている。
【０１０３】
実施の形態５に係る画像受信装置に備えられた制御装置３６は、ＣＰＵ、ＲＯＭ、ＲＡＭ、計時手段及び入出力ポートから成る。
【０１０４】
以下に、同時に複数のユーザより、放送時間帯が重なる複数の番組の録画をめぐって争いが発生した場合、本発明に係る受信装置による処理過程を説明する。図１８は、本発明の実施の形態５に係る受信装置のチャンネル争いに対するＣＰＵの制御手順を示すフローチャートである。
【０１０５】
例えば、Ａ及びＢの２名のユーザにより、Ａ２チャンネルのＡ２番組と、該Ａ２番組と放送時間帯が重なるＢ４チャンネルのＢ４番組との録画をめぐって争いが発生したとする。Ａ又はＢのいずれかのユーザにより解決キー３９４が押され、ＣＰＵが希望チャンネル番号選択画像表示要求信号を取得した場合（Ｓ１７１１）、ＣＰＵは希望チャンネル番号選択画像データを表示部３４に送出し（Ｓ１７１２）、希望チャンネル番号選択画像を表示する。前記希望チャンネル番号選択画像の一例を図１９（ａ）に示す。図中白抜き矢印で示す四角図形はカーソルであり、ユーザは、前記希望チャンネル番号選択画像の案内に従って希望チャンネル番号を夫々選択する。ＣＰＵはユーザの選択により希望チャンネル番号の信号を受付け（Ｓ１７１３）、希望チャンネル番号をＲＡＭに記憶する（Ｓ１７１４）。ユーザは希望チャンネル番号の選択が終わった場合、受付手段３９の決定キー３９５を押して選択終了信号を送出する。ＣＰＵは、選択終了信号を取得したか否かを判断し（Ｓ１７１５）、選択終了信号を取得していない場合（Ｓ１７１５：ＮＯ）、選択終了信号を取得するまで待つ。選択終了信号を取得した場合（Ｓ１７１５：ＹＥＳ）、ＣＰＵは、乱数生成部３７へ乱数生成指示信号を送出する（Ｓ１７１６）。乱数生成部３７により乱数が生成され、乱数生成結果を取得した場合、ＣＰＵは前記乱数生成結果をＲＡＭに記憶する（Ｓ１７１７）。
【０１０６】
次いで、ＣＰＵは、ＲＡＭに記憶されている前記乱数生成結果及び希望チャンネルに基づき、抽選処理を実行する（Ｓ１７１８）。次いで、ＣＰＵはチャンネルを決定する（Ｓ１７１９）。また、ＣＰＵは、前記決定結果及びＲＯＭに予め記憶されているデータに基づき、チャンネル決定結果表示及び決定チャンネルの録画時刻受付画像データを表示部３４に送出し（Ｓ１７２０）、表示部３４にチャンネル決定結果表示及び決定チャンネルの録画時刻受付画像を表示する。前記チャンネル決定結果表示及び決定チャンネルの録画時刻受付画像の一例を図１９（ｂ）に示す。図中白抜き矢印で示す四角図形はカーソルであり、ユーザは、前記チャンネル決定結果表示及び決定チャンネルの録画時刻受付画像の案内に従い、テンキー３９８を用いて録画開始時刻Ｔｒ及び録画終了時刻を入力する。ＣＰＵはユーザの入力により、録画開始時刻及び録画終了時刻の信号を受付け（Ｓ１７２１）、録画開始時刻及び録画終了時刻をＲＡＭに記憶する。ユーザは録画開始時刻及び録画終了時刻の入力が終わった場合、受付手段３９の決定キー３９５を押して入力終了信号を送出する。次いでＣＰＵは、計時手段に計時開始指示信号を送出する（Ｓ１７２２）。ＣＰＵは、計時手段による計時結果が、録画開始時刻Ｔｒであるか否かを判断し（Ｓ１７２３）、前記計時結果が、Ｔｒでない場合（Ｓ１７２３：ＮＯ）、Ｔｒになるまで待つ。前記計時結果が、Ｔｒである場合（Ｓ１７２３：ＹＥＳ）、ＣＰＵは、前記チューナ部３２に決定チャンネル選局指示信号を送出する（Ｓ１７２４）。チューナ部３２は、ＣＰＵからの決定チャンネル選局指示信号に応じてＡ２チャンネルを選局し、記録部３３へ送る。ＣＰＵは記録部３３に録画指示信号を送出する（Ｓ１７２５）。ＣＰＵからの録画指示信号に応じて記録部３３は録画を開始する。その後、計時手段の計時結果が、前記記録終了時刻であるか否かを判断し、計時手段の計時結果が録画終了時刻である場合、ＣＰＵは記録部３３に録画終了指示信号を送出する。
【０１０７】
実施の形態５においては、希望チャンネル番号を選択するための希望チャンネル番号選択画像が画像表示部３４に表示され、解決キー３９４の操作によってユーザがチャンネル番号の選択を行う場合について説明したが、これに限るものではない。所定時間、例えば１分以内に受付手段３９が複数のチャンネル番号の選択を受付けた場合、ＣＰＵがこれを希望チャンネル番号の選択として認識し、抽選処理を行うように構成しても良い。また、前記受付手段３９は、１つに限るものではなく、複数であっても良い。つまり、１つの受信装置に係る受付手段３９が複数であり、１分以内に各受付手段３９，３９，３９…が、夫々チャンネル番号の選択を受付けた場合、ＣＰＵがこれを希望チャンネル番号の選択として認識し、抽選処理を行うように構成しても良い。
【０１０８】
（実施の形態６）
図２０は、本発明の実施の形態６に係る遠隔操作装置の要部構成を示すブロック図である。本発明に係る遠隔操作装置は、制御装置２６からの信号に応じて乱数を生成する乱数生成部２７と、チャンネルの切り替え、音量調節等を行うための受付手段２９と、受付手段２９の操作に応じた画像を表示する表示部２４と、音声を出力する音声出力部２３と、受付手段２９の何れかのキーの操作により信号を取得した場合、該キーに割当てられたコードを取り出し、送信部２８へ送出する送信コード作成部２５と、該送信コード作成部２５から信号を、例えばテレビジョン受像機のような受信装置に送信する送信部２８とを備えている。前記受信装置は、送信部２８から送信される信号を受信する受信部と、該受信部の受信信号に応じてチャンネルを選局するチューナ部と、該チューナ部が選局したチャンネルの画像を表示する画像表示部を備えている。
【０１０９】
実施の形態６に係る遠隔操作装置に備えられた制御装置２６は、ＣＰＵ、ＲＯＭ、ＲＡＭ及び入出力ポートから成る。
【０１１０】
図２１は、本発明の実施の形態６に係る遠隔操作装置の一例を示す模式図である。
【０１１１】
前記受付手段２９は、音量調節用のアップ・ダウンキー２９１と、チャンネル選局用のテンキー２９２と、前記表示部２４にメニュー画像を表示させるためのメニューキー２９３と、希望チャンネルを選択するチャンネル番号選択画像の表示を要求するための解決キー２９４と、複数の希望チャンネルの中から一つのチャンネルを決定させるための決定キー２９５と、電源をオン／オフするための電源キー２９６とを備えている。
【０１１２】
以下に、同時に複数のユーザよりチャンネル争いが発生した場合、本発明に係る遠隔操作装置による処理過程を説明する。図２２は、本発明の実施の形態６に係る遠隔操作装置のチャンネル争いに対するＣＰＵの制御手順を示すフローチャートである。
【０１１３】
例えば、Ａ及びＢの２名のユーザにより、Ａ２番組とＢ４番組とをめぐってチャンネル争いが発生したとする。Ａ又はＢのいずれかのユーザが受付手段２９の解決キー２９４を押し、ＣＰＵが希望チャンネル番号選択画像表示要求信号を取得した場合（Ｓ２１１１）、ＣＰＵは希望チャンネル番号選択画像データを表示部２４に送出し（Ｓ２１１２）、希望チャンネル番号選択画像を表示する。前記希望チャンネル番号選択画像の一例を図２３（ａ）に示す。図中白抜き矢印で示す四角図形はカーソルであり、ユーザは、前記希望チャンネル番号選択画像の案内に従って希望チャンネル番号を夫々選択する。ＣＰＵはユーザの選択により希望チャンネル番号に係る信号を受付け（Ｓ２１１３）、希望チャンネル番号をＲＡＭに記憶する（Ｓ２１１４）。ユーザは希望チャンネル番号の選択が終わった場合、受付手段２９の決定キー２９５を押して選択終了信号を送出する。ＣＰＵは、選択終了信号を取得したか否かを判断し（Ｓ２１１５）、選択終了信号を取得していない場合（Ｓ２１１５：ＮＯ）、選択終了信号を取得するまで待つ。選択終了信号を取得した場合（Ｓ２１１５：ＹＥＳ）、ＣＰＵは、乱数生成部２７へ乱数生成指示信号を送出する（Ｓ２１１６）。乱数生成部２７により乱数が生成され、乱数生成結果を取得した場合、ＣＰＵは前記乱数生成結果をＲＡＭに記憶する（Ｓ２１１７）。
【０１１４】
次いで、ＣＰＵはＲＡＭに記憶されている前記乱数生成結果及び希望チャンネル番号に基づき、抽選処理を実行する（Ｓ２１１８）。次いで、ＣＰＵは前記受信装置の受信部に送信すべきチャンネルを決定する（Ｓ２１１９）。ＣＰＵは、前記決定結果及びＲＯＭに予め記憶されているデータに基づき、チャンネル決定結果表示画像データを表示部２４に送出し（Ｓ２１２０）、表示部２４にチャンネル決定結果表示画像を表示する。前記チャンネル決定結果表示画像の一例を図２３（ｂ）に示しており、決定チャンネル番号が表示される。次いで、ＣＰＵは、決定された決定チャンネル番号の信号を送信コード作成部２５へ送出する（Ｓ２１２１）。該送信コード作成部２５は、前記決定チャンネル番号の信号に応じて送信コードを取り出し、送信部２８へ送出する。送信部２８は、前記受信装置の受信部へ前記信号を送信する。前記受信装置のチューナ部は、前記受信部が受信した信号に応じて、チャンネルを選局し、選局されたチャンネルの画像が、前記受信装置の画像表示部に表示される。
【０１１５】
実施の形態６においては、希望チャンネル番号を選択するための希望チャンネル番組選択画像が表示部２４に表示され、解決キー２９４の操作によってユーザがチャンネル番号の選択を行う場合ついて説明したが、これに限るものではない。所定時間、例えば１分以内に受付手段２９が複数のチャンネル番号の選択を受付けた場合、ＣＰＵがこれを希望チャンネル番号の選択として認識し、抽選処理を行うように構成しても良い。
【０１１６】
実施の形態６にあっては、希望チャンネル番号の選択案内及びチャンネル決定結果表示において表示部２４を用いて視覚的に案内する場合について説明したが、これに限るものではなく、ＲＯＭに予め音声データを記憶しておき、スピーカ等を用いて聴覚的にも案内するようにしても良い。
【０１１７】
実施の形態６にあっては、抽選結果が残らない場合について説明したが、これに限るものではなく、実施の形態２の如くＥＰＲＯＭ、ＥＥＰＲＯＭ等を設け、抽選結果を累積的に記憶しておき、該記憶に基づいて抽選処理を行うように構成しても良い。
【０１１８】
実施の形態６においては、前記受信装置本体にチューナ部が備えられている受信装置の場合について説明したが、これに限るものではなく、外付け形チューナを備えることにより、チューナ部が本体に備えられていない受信装置に対しても適用が可能となる。
【図面の簡単な説明】
【０１１９】
【図１】本発明の実施の形態１に係る受信装置の要部構成を示すブロック図である。
【図２】本発明の実施の形態１に係る受信装置の受付手段の一例を示す模式図である。
【図３】本発明の実施の形態１に係る受信装置のチャンネル争いに対するＣＰＵの制御手順を示すフローチャートである。
【図４】本発明の実施の形態１に係る受信装置の希望チャンネル番号選択画像及びチャンネル決定結果表示画像の一例を示す例示図である。
【図５】本発明の実施の形態２に係る受信装置に備えられた制御装置の構成を示すブロック図である。
【図６】本発明の実施の形態２に係る受信装置のチャンネル争いに対するＣＰＵの制御手順を示すフローチャートである。
【図７】本発明の実施の形態２に係る受信装置の希望チャンネル番号選択画像及びチャンネル決定結果表示画像の一例を示す例示図である。
【図８】本発明の実施の形態３に係る受信装置の要部構成を示すブロック図である。
【図９】本発明の実施の形態３に係る受信装置に備えられた制御装置の構成を示すブロック図である。
【図１０】本発明の実施の形態３に係る受信装置のチャンネル争いに対するＣＰＵの制御手順を示すフローチャートである。
【図１１】本発明の実施の形態３に係る受信装置のチャンネル争いに対するＣＰＵの制御手順を示すフローチャートである。
【図１２】本発明の実施の形態３に係る受信装置の希望番組選択画像及び番組決定結果表示画像の一例を示す例示図である。
【図１３】本発明の実施の形態４に係る受信装置の要部構成を示すブロック図である。
【図１４】本発明の実施の形態４に係る受信装置のチャンネル争いに対するＣＰＵの制御手順を示すフローチャートである。
【図１５】本発明の実施の形態４に係る受信装置の希望番組選択画像及び番組決定結果表示画像の一例を示す例示図である。
【図１６】本発明の実施の形態５に係る受信装置の要部構成を示すブロック図である。
【図１７】本発明の実施の形態５に係る受信装置の受付手段の一例を示す模式図である。
【図１８】本発明の実施の形態５に係る受信装置のチャンネル争いに対するＣＰＵの制御手順を示すフローチャートである。
【図１９】本発明の実施の形態５に係る受信装置の希望チャンネル番号選択画像並びにチャンネル決定結果表示及び決定チャンネルの録画時刻受付画像の一例を示す例示図である。
【図２０】本発明の実施の形態６に係る遠隔操作装置の要部構成を示すブロック図である。
【図２１】本発明の実施の形態６に係る遠隔操作装置の一例を示す模式図である。
【図２２】本発明の実施の形態６に係る遠隔操作装置のチャンネル争いに対するＣＰＵの制御手順を示すフローチャートである。
【図２３】本発明の実施の形態６に係る遠隔操作装置の希望チャンネル番号選択画像及びチャンネル決定結果表示画像の一例を示す例示図である。
【符号の説明】
【０１２０】
１、３１  テレビジョンアンテナ
２、３２  チューナ部
３  信号処理部
４  画像表示部
５、２３  音声出力部
６、２６、３６  制御装置
７、２７、３７  乱数生成部
８  ＥＰＧ処理部
９、２９、３９  受付手段
１０  ＯＳＤ処理部
１１  音声合成部
２４、３４  表示部
２５  送信コード作成部
２８  送信部
３３、１５２  記録部
１５  記録手段
６１  ＣＰＵ
６２  ＲＯＭ
６３  ＲＡＭ
６４  計時手段
６５  ＥＰＲＯＭ
９３、２９３、３９３  メニューキー
９４、２９４、３９４  解決キー
９５、２９５、３９５  決定キー
９８、３９８  テンキー
１５１  記録用チューナ部
【図１】
2008028571.tif 000003
【図２】
2008028571.tif 000004
【図３】
2008028571.tif 000005
【図４】
2008028571.tif 000006
【図５】
2008028571.tif 000007
【図６】
2008028571.tif 000008
【図７】
2008028571.tif 000009
【図８】
2008028571.tif 000010
【図９】
2008028571.tif 000011
【図１０】
2008028571.tif 000012
【図１１】
2008028571.tif 000013
【図１２】
2008028571.tif 000014
【図１３】
2008028571.tif 000015
【図１４】
2008028571.tif 000016
【図１５】
2008028571.tif 000017
【図１６】
2008028571.tif 000018
【図１７】
2008028571.tif 000019
【図１８】
2008028571.tif 000020
【図１９】
2008028571.tif 000021
【図２０】
2008028571.tif 000022
【図２１】
2008028571.tif 000023
【図２２】
2008028571.tif 000024
【図２３】
2008028571.tif 000025